(57)【要約】【課題】駆動ラインに寄生する容量による疑似点灯を抑制可能な表示装置および表示装置の駆動方法を提供する。【解決手段】同一の駆動ラインに接続された複数の発光素子は、第１共通ラインに接続された第１発光素子と、第２共通ラインに接続された第２発光素子とを有する。第２共通ラインに電圧が供給され、第１発光素子および第２発光素子が接続された駆動ラインが非選択状態において第２発光素子に電流が流れる時の第２順方向電圧は、第１共通ラインに電圧が供給され、第１発光素子および第２発光素子が接続された駆動ラインが非選択状態において第１発光素子に電流が流れる時の第１順方向電圧よりも大きい。【選択図】図１
2020177128.tif 000002
【特許請求の範囲】
【請求項１】
第１方向に延び、順に電圧が供給される２以上の共通ラインと、
前記第１方向に直交する第２方向に延び、シンクドライバに電流が引き込まれる選択状態と、前記シンクドライバに電流が引き込まれない非選択状態とに切り替え可能な１以上の駆動ラインと、
前記共通ラインに接続されたアノードと、前記駆動ラインに接続されたカソードとをそれぞれ有する複数の発光素子と、
を備え、
前記共通ラインは、第１共通ラインと、前記第１共通ラインよりも後に前記電圧が供給される第２共通ラインとを有し、
同一の前記駆動ラインに接続された複数の前記発光素子は、前記第１共通ラインに接続された第１発光素子と、前記第２共通ラインに接続された第２発光素子とを有し、
前記第２共通ラインに前記電圧が供給され、前記第１発光素子および前記第２発光素子が接続された駆動ラインが前記非選択状態において前記第２発光素子に電流が流れる時の第２順方向電圧は、前記第１共通ラインに前記電圧が供給され、前記第１発光素子および前記第２発光素子が接続された前記駆動ラインが前記非選択状態において前記第１発光素子に電流が流れる時の第１順方向電圧よりも大きい表示装置。
【請求項２】
前記共通ラインは、前記第２共通ラインよりも後に前記電圧が供給される第３共通ラインをさらに有し、
同一の前記駆動ラインに接続された複数の前記発光素子は、前記第３共通ラインに接続された第３発光素子をさらに有し、
前記第３共通ラインに前記電圧が供給され、前記第１発光素子、前記第２発光素子、および前記第３発光素子が接続された駆動ラインが前記非選択状態において前記第３発光素子に電流が流れる時の第３順方向電圧は、前記第２順方向電圧よりも大きい請求項１記載の表示装置。
【請求項３】
前記駆動ラインは、前記第１方向において隣り合う第１駆動ラインと第２駆動ラインとを有し、
前記第１駆動ラインに接続された前記発光素子の発光ピーク波長と、前記第２駆動ラインに接続された前記発光素子の発光ピーク波長とは異なる請求項１または２に記載の表示装置。
【請求項４】
請求項１または３に記載の表示装置の駆動方法であって、
前記第２共通ラインに前記電圧を供給した後、前記第１共通ラインに前記電圧を供給するステップと、
前記第２共通ラインに前記電圧を供給した後、前記第１共通ラインに前記電圧を供給する前に、前記第１発光素子および前記第２発光素子が接続された前記駆動ラインが前記非選択状態において、前記非選択状態の駆動ラインに接続されたすべての発光素子が接続された複数の共通ラインに同時に前記電圧を供給するステップと、
を備えた表示装置の駆動方法。
【請求項５】
請求項２または３に記載の表示装置の駆動方法であって、
前記第３共通ラインに前記電圧を供給した後、前記第１共通ラインに前記電圧を供給するステップと、
前記第３共通ラインに前記電圧を供給した後、前記第１共通ラインに前記電圧を供給する前に、前記第１発光素子、前記第２発光素子、および前記第３発光素子が接続された前記駆動ラインが前記非選択状態において、前記非選択状態の駆動ラインに接続されたすべての発光素子が接続された複数の共通ラインに同時に前記電圧を供給するステップと、
を備えた表示装置の駆動方法。
【発明の詳細な説明】
【技術分野】
【０００１】
本開示は、表示装置および表示装置の駆動方法に関する。
【背景技術】
【０００２】
近年、ＬＥＤ（Light Emitting Diode）パッケージの微細化に伴い、狭ピッチのドットマトリクスユニットが開発されている。このようなユニットが屋内で間近に見ることのできる場所に設置されると、従来よりも疑似点灯（点灯対象ではないＬＥＤの意図しない微小点灯）が分かりやすくなるため、自然と要求されるレベルが高くなっている。また、ＬＥＤパッケージの微細化、ドットの狭ピッチ化（基板配線の密集化）により、配線に寄生する容量が大きくなり、さらにＬＥＤの高輝度化により、微小電流でも目視確認できる明るさで点灯するなど、疑似点灯が起こりやすい状況にある。
【先行技術文献】
【特許文献】
【０００３】
【特許文献１】特許第６１７１５８５号公報
【特許文献２】特許第５７９３９２３号公報
【特許文献３】特許第６４１３５５９号公報
【発明の概要】
【発明が解決しようとする課題】
【０００４】
本開示は、駆動ラインに寄生する容量による疑似点灯を抑制可能な表示装置および表示装置の駆動方法を提供することを目的とする。
【課題を解決するための手段】
【０００５】
本開示の一態様によれば、表示装置は、第１方向に延び、順に電圧が供給される２以上の共通ラインと、前記第１方向に直交する第２方向に延び、シンクドライバに電流が引き込まれる選択状態と、前記シンクドライバに電流が引き込まれない非選択状態とに切り替え可能な１以上の駆動ラインと、前記共通ラインに接続されたアノードと、前記駆動ラインに接続されたカソードとをそれぞれ有する複数の発光素子と、を備えている。前記共通ラインは、第１共通ラインと、前記第１共通ラインよりも後に前記電圧が供給される第２共通ラインとを有する。同一の前記駆動ラインに接続された複数の前記発光素子は、前記第１共通ラインに接続された第１発光素子と、前記第２共通ラインに接続された第２発光素子とを有する。前記第２共通ラインに前記電圧が供給され、前記第１発光素子および前記第２発光素子が接続された駆動ラインが前記非選択状態において前記第２発光素子に電流が流れる時の第２順方向電圧は、前記第１共通ラインに前記電圧が供給され、前記第１発光素子および前記第２発光素子が接続された前記駆動ラインが前記非選択状態において前記第１発光素子に電流が流れる時の第１順方向電圧よりも大きい。
本開示の他の一態様によれば、前記表示装置の駆動方法であって、前記第２共通ラインに前記電圧を供給した後、前記第１共通ラインに前記電圧を供給するステップと、前記第２共通ラインに前記電圧を供給した後、前記第１共通ラインに前記電圧を供給する前に、前記第１発光素子および前記第２発光素子が接続された前記駆動ラインが前記非選択状態において、前記非選択状態の駆動ラインに接続されたすべての発光素子が接続された複数の共通ラインに同時に前記電圧を供給するステップと、を備えている。
【発明の効果】
【０００６】
本開示の表示装置および表示装置の駆動方法によれば、駆動ラインに寄生する容量による疑似点灯を抑制できる。
【図面の簡単な説明】
【０００７】
【図１】本発明の一実施形態の表示装置の概略回路図である。
【図２】本発明の一実施形態の表示装置の駆動方法を示すタイミングチャートである。
【図３】図２における区間１の状態を示す概略回路図である。
【図４】図２における区間２の状態を示す概略回路図である。
【図５】図２における区間３の状態を示す概略回路図である。
【図６】図２における区間４の状態を示す概略回路図である。
【図７】図２における区間５の状態を示す概略回路図である。
【図８】比較例の表示装置の駆動方法を示すタイミングチャートである。
【図９】図８における区間１の状態を示す概略回路図である。
【図１０】図８における区間２の状態を示す概略回路図である。
【図１１】図８における区間３の状態を示す概略回路図である。
【図１２】図８における区間４の状態を示す概略回路図である。
【発明を実施するための形態】
【０００８】
以下、図面を参照し、本発明の一実施形態について説明する。なお、各図面中、同じ要素には同じ符号を付している。
【０００９】
図１は、本発明の一実施形態の表示装置の概略回路図である。
【００１０】
実施形態の表示装置は、ｍ（ｍは２以上の自然数）本の共通ラインと、ｎ（ｎは１以上の自然数）本の駆動ラインと、ｍ×ｎ個の発光素子とを有する。図１には、例えば、３本の共通ラインＣＯＭ１、ＣＯＭ２、ＣＯＭ３と、２本の駆動ラインＳＥＧ１、ＳＥＧ２と、６個の発光素子１１、１２、２１、２２、３１、３２を示す。発光素子１１、１２、２１、２２、３１、３２は、例えばＬＥＤである。
【００１１】
共通ラインＣＯＭ１、ＣＯＭ２、ＣＯＭ３は、電圧源５０に接続され、第１方向（図１では横方向）に延びている。共通ラインＣＯＭ１と電圧源５０との間にはスイッチＳ１が接続され、共通ラインＣＯＭ２と電圧源５０との間にはスイッチＳ２が接続され、共通ラインＣＯＭ３と電圧源５０との間にはスイッチＳ３が接続されている。
【００１２】
駆動ラインＳＥＧ１、ＳＥＧ２は、第１方向に直交する第２方向（図１では縦方向）に延びている。駆動ラインＳＥＧ１、ＳＥＧ２は、シンクドライバ（または電流源）６０に接続されている。
【００１３】
共通ラインＣＯＭ１と駆動ラインＳＥＧ１に、発光素子１１が接続されている。発光素子１１のアノードは共通ラインＣＯＭ１に接続され、発光素子１１のカソードは駆動ラインＳＥＧ１に接続されている。
【００１４】
共通ラインＣＯＭ２と駆動ラインＳＥＧ１に、発光素子２１が接続されている。発光素子２１のアノードは共通ラインＣＯＭ２に接続され、発光素子２１のカソードは駆動ラインＳＥＧ１に接続されている。
【００１５】
共通ラインＣＯＭ３と駆動ラインＳＥＧ１に、発光素子３１が接続されている。発光素子３１のアノードは共通ラインＣＯＭ３に接続され、発光素子３１のカソードは駆動ラインＳＥＧ１に接続されている。
【００１６】
共通ラインＣＯＭ１と駆動ラインＳＥＧ２に、発光素子１２が接続されている。発光素子１２のアノードは共通ラインＣＯＭ１に接続され、発光素子１２のカソードは駆動ラインＳＥＧ２に接続されている。
【００１７】
共通ラインＣＯＭ２と駆動ラインＳＥＧ２に、発光素子２２が接続されている。発光素子２２のアノードは共通ラインＣＯＭ２に接続され、発光素子２２のカソードは駆動ラインＳＥＧ２に接続されている。
【００１８】
共通ラインＣＯＭ３と駆動ラインＳＥＧ２に、発光素子３２が接続されている。発光素子３２のアノードは共通ラインＣＯＭ３に接続され、発光素子３２のカソードは駆動ラインＳＥＧ２に接続されている。
【００１９】
マトリクス配置された複数の発光素子は、例えば、赤色光を発光する発光素子と、緑色光を発光する発光素子と、青色光を発光する発光素子とを含む。例えば、同一の駆動ラインＳＥＧ１に接続された複数の発光素子１１、２１、３１の発光ピーク波長は略同じであり、発光素子１１、２１、３１は同じ色の光を発光する。同様に、同一の駆動ラインＳＥＧ２に接続された複数の発光素子１２、２２、３２の発光ピーク波長は略同じであり、発光素子１２、２２、３２は同じ色の光を発光する。
【００２０】
駆動ライン（第１駆動ライン）ＳＥＧ１に接続された発光素子１１、２１、３１の発光ピーク波長は、第１方向において駆動ラインＳＥＧ１に隣り合う駆動ライン（第２駆動ライン）ＳＥＧ２に接続された発光素子１２、２２、３２の発光ピーク波長と異なる。すなわち、駆動ラインＳＥＧ１に接続された発光素子１１、２１、３１の発光色は、駆動ラインＳＥＧ２に接続された発光素子１２、２２、３２の発光色と異なる。例えば、それぞれの共通ラインＣＯＭ１、ＣＯＭ２、ＣＯＭ３に沿って、赤色光を発光する発光素子と、緑色光を発光する発光素子と、青色光を発光する発光素子とが繰り返されて配列されている。
【００２１】
実施形態の表示装置は、ダイナミック点灯制御方式で駆動される。スイッチＳ１、Ｓ２、Ｓ３が逐次的にオンされ、共通ラインＣＯＭ１、ＣＯＭ２、ＣＯＭ３に逐次的に電圧源５０から電圧Ｖｃｏｍが与えられる。例えば、スイッチＳ１がオンされ、スイッチＳ１以外のスイッチＳ２、Ｓ３がオフされ、共通ラインＣＯＭ１に電圧Ｖｃｏｍが与えられ、次に、スイッチＳ２がオンされ、スイッチＳ２以外のスイッチＳ１、Ｓ３がオフされ、共通ラインＣＯＭ２に電圧Ｖｃｏｍが与えられ、次に、スイッチＳ３がオンされ、スイッチＳ３以外のスイッチＳ１、Ｓ２がオフされ、共通ラインＣＯＭ３に電圧Ｖｃｏｍが与えられる。共通ラインＣＯＭ１、ＣＯＭ２、ＣＯＭ３に順に電圧Ｖｃｏｍが与えられる制御が繰り返される。
【００２２】
点灯対象の発光素子が接続された共通ラインに電圧Ｖｃｏｍが与えられたときに、その点灯対象の発光素子が接続された駆動ライン（選択駆動ライン）に接続されたシンクドライバ６０を駆動させることで、電圧源５０からの電流が、共通ライン、発光素子、および選択駆動ラインを流れてシンクドライバ６０に引き込まれる。これにより、点灯対象の発光素子が点灯する。シンクドライバ６０に引き込まれる電流の大きさや、引き込む時間で発光素子の点灯の明るさが調整される。
【００２３】
例えば、共通ラインＣＯＭ１に電圧Ｖｃｏｍが与えられている時に、シンクドライバ６０により駆動ラインＳＥＧ１が選択されると、発光素子１１が点灯する。共通ラインＣＯＭ２に電圧Ｖｃｏｍが与えられている時に駆動ラインＳＥＧ１が非選択状態（シンクドライバ６０が駆動されずシンクドライバ６０に電流が引き込まれない状態）であれば発光素子２１は点灯せず、共通ラインＣＯＭ３に電圧Ｖｃｏｍが与えられている時に駆動ラインＳＥＧ１が非選択状態であれば発光素子３１は点灯しない。
【００２４】
ここで、図８は、比較例の表示装置の駆動方法を示すタイミングチャートである。図８は、例えば、同一駆動ラインＳＥＧ１に接続された発光素子１１、２１のうち、１スキャンで発光素子１１を点灯させ、発光素子２１は点灯させない動作のタイミングチャートである。１スキャンは、共通ラインＣＯＭ１がオンになった時点から、他の共通ラインがオンになる期間を経て、一巡して次に共通ラインＣＯＭ１がオンになるまでの期間を表す。
【００２５】
図８において、共通ラインＣＯＭ１、ＣＯＭ２のオンは、それぞれ、スイッチＳ１、Ｓ２がオンになり、共通ラインＣＯＭ１、ＣＯＭ２に電圧源５０から電圧Ｖｃｏｍが与えられている状態を表す。共通ラインＣＯＭ１、ＣＯＭ２のオフは、それぞれ、スイッチＳ１、Ｓ２がオフになり、共通ラインＣＯＭ１、ＣＯＭ２に電圧源５０から電圧Ｖｃｏｍが与えられていない状態を表す。
【００２６】
駆動ラインＳＥＧ１のオンは、シンクドライバ６０が駆動され、駆動ラインＳＥＧ１からシンクドライバ６０に電流が引き込まれている状態（駆動ラインＳＥＧ１の選択状態）を表す。駆動ラインＳＥＧ１のオフは、シンクドライバ６０が駆動されず、駆動ラインＳＥＧ１からシンクドライバ６０に電流が引き込まれない状態（駆動ラインＳＥＧ１の非選択状態）を表す。
【００２７】
１スキャンの間に、区間１、区間２、区間３、区間４、および区間３が順に続く。
【００２８】
図９は、図８における区間１の状態を示す概略回路図である。図９において、駆動ラインＳＥＧ１に寄生する容量をＣで表す。後述する他の図においても駆動ラインＳＥＧ１に寄生する容量をＣで表す。また、図３、図４、図６、図７、図９、図１０、および図１２において、電流の流れを矢印で表す。
【００２９】
まず、区間１においては、共通ラインＣＯＭ１がオン、共通ラインＣＯＭ２がオフ、駆動ラインＳＥＧ１がオンとなる。この区間１において、図９に示すように、電圧源５０から、共通ラインＣＯＭ１、発光素子１１、および駆動ラインＳＥＧ１を電流が流れてシンクドライバ６０に引き込まれ、発光素子１１が点灯する。共通ラインＣＯＭ２がオフのため、発光素子２１は点灯しない。
【００３０】
このとき、寄生容量Ｃに蓄えられていた電荷Ｑはシンクドライバ６０を通じて放電され、寄生容量Ｃに蓄えられた電荷Ｑは０となる。
【００３１】
図１０は、図８における区間２の状態を示す概略回路図である。区間２において、共通ラインＣＯＭ１がオン、共通ラインＣＯＭ２がオフ、駆動ラインＳＥＧ１がオフとなる。駆動ラインＳＥＧ１がオフになることで、電流がシンクドライバ６０に引き込まれずに、発光素子１１には定格電流が流れない。すなわち、発光素子１１は定格電流に応じた明るさでは点灯しない。
【００３２】
ただし、定格電流よりも小さな微小電流（非駆動状態のシンクドライバ６０へ流れるリーク電流）が、共通ラインＣＯＭ１から発光素子１１を経由して寄生容量Ｃに充電される。このとき、寄生容量Ｃに充電される電荷Ｑは、電圧源５０の電圧をＶｃｏｍ、発光素子１１に上記微小電流が流れる時の順方向電圧をＶｆ１とすると、Ｑ＝Ｃ（Ｖｃｏｍ−Ｖｆ１）となる。
【００３３】
このとき、発光素子１１は、微小電流に応じた微小の明るさで点灯するが、前の区間１において定格電流で明るく点灯していたため、人は区間２における発光素子１１の微小点灯を感じない。
【００３４】
図１１は、図８における区間３の状態を示す概略回路図である。区間３において、共通ラインＣＯＭ１がオフ、共通ラインＣＯＭ２がオフ、駆動ラインＳＥＧ１がオフとなる。前の区間２において寄生容量Ｃに充電された電荷（Ｑ＝Ｃ（Ｖｃｏｍ−Ｖｆ１））は保持される。発光素子１１および発光素子２１は点灯しない。
【００３５】
図１２は、図８における区間４の状態を示す概略回路図である。この比較例では、上記微小電流（例えば、１０μＡ程度）が流れる時の発光素子１１の順方向電圧Ｖｆ１が、上記微小電流が流れる時の発光素子２１の順方向電圧Ｖｆ２よりも大きい。
【００３６】
比較例の区間４において、共通ラインＣＯＭ１がオフ、共通ラインＣＯＭ２がオン、駆動ラインＳＥＧ１がオフとなる。共通ラインＣＯＭ２がオンになることで、微小電流が共通ラインＣＯＭ２から発光素子２１を経由して寄生容量Ｃに充電される。
【００３７】
このとき、Ｖｆ１＞Ｖｆ２より、Ｃ（Ｖｃｏｍ−Ｖｆ１）＜Ｃ（Ｖｃｏｍ−Ｖｆ２）となる。すなわち、区間４において、寄生容量Ｃに電荷が溜まる余地があるため、発光素子２１経由で寄生容量Ｃに電荷が充電される。区間３において寄生容量Ｃに蓄えられる電荷（Ｃ（Ｖｃｏｍ−Ｖｆ１））と、区間４において寄生容量Ｃに蓄えられる電荷（Ｃ（Ｖｃｏｍ−Ｖｆ２））との差分の電荷ΔＱ（＝Ｃ（Ｖｆ１−Ｖｆ２））が、区間４において発光素子２１経由で寄生容量Ｃに移動する。
【００３８】
したがって、区間４において、駆動ラインＳＥＧ１が非選択であり発光素子２１は点灯対象でないのに、微小電流により微小の明るさで点灯、すなわち疑似点灯してしまう。
【００３９】
これに対して、本実施形態では、上記微小電流が流れる時の発光素子１１の順方向電圧（第１順方向電圧）をＶｆ１、上記微小電流が流れる時の発光素子２１の順方向電圧（第２順方向電圧）をＶｆ２、上記微小電流が流れる時の発光素子３１の順方向電圧（第３順方向電圧）をＶｆ３とし、共通ラインＣＯＭ１のオンの後に共通ラインＣＯＭ２がオンになり、共通ラインＣＯＭ２のオンの後に共通ラインＣＯＭ３がオンになり、共通ラインＣＯＭ３のオンの後に共通ラインＣＯＭ１がオンになる一巡の走査順序において、Ｖｆ１＜Ｖｆ２＜Ｖｆ３にすることで、点灯対象でない発光素子の疑似点灯を抑制することができる。
【００４０】
図２は、実施形態の表示装置の駆動方法を示すタイミングチャートである。図２は、例えば、同一駆動ライン（第１駆動ライン）ＳＥＧ１に接続された発光素子（第１発光素子）１１、発光素子（第２発光素子）２１、発光素子（第３発光素子）３１のうち、共通ライン（第１共通ライン）ＣＯＭ１、共通ライン（第２共通ライン）ＣＯＭ２、共通ライン（第３共通ライン）ＣＯＭ３の上記一巡の走査期間に発光素子２１を点灯させ、発光素子１１、３１は点灯させない動作のタイミングチャートの一部の期間を表す。１スキャンの間に、共通ラインＣＯＭ１、共通ラインＣＯＭ２、および共通ラインＣＯＭ３が順にオンにされる。前のスキャン（Ｎ回目のスキャン）と次のスキャン（Ｎ＋１回目のスキャン）との間に、区間４が設定される。図２は、Ｎ回目のスキャンにおける共通ラインＣＯＭ２がオンになった時点から、区間４を挟んで、Ｎ＋１回目のスキャンにおける共通ラインＣＯＭ１がオフになった時点までを抽出して表す。
【００４１】
図２において、共通ラインＣＯＭ１、ＣＯＭ２、ＣＯＭ３のオンは、それぞれ、スイッチＳ１、Ｓ２、Ｓ３がオンになり、共通ラインＣＯＭ１、ＣＯＭ２、ＣＯＭ３に電圧源５０から電圧Ｖｃｏｍが与えられている状態を表す。共通ラインＣＯＭ１、ＣＯＭ２、ＣＯＭ３のオフは、それぞれ、スイッチＳ１、Ｓ２、Ｓ３がオフになり、共通ラインＣＯＭ１、ＣＯＭ２、ＣＯＭ３に電圧源５０から電圧Ｖｃｏｍが与えられていない状態を表す。
【００４２】
駆動ラインＳＥＧ１のオンは、シンクドライバ６０が駆動され、駆動ラインＳＥＧ１からシンクドライバ６０に電流が引き込まれている状態（駆動ラインＳＥＧ１の選択状態）を表す。駆動ラインＳＥＧ１のオフは、シンクドライバ６０が駆動されず、駆動ラインＳＥＧ１からシンクドライバ６０に電流が引き込まれない状態（駆動ラインＳＥＧ１の非選択状態）を表す。
【００４３】
図３は、図２における区間１の状態を示す概略回路図である。区間１においては、共通ラインＣＯＭ２がオン、共通ラインＣＯＭ１、ＣＯＭ３がオフ、駆動ラインＳＥＧ１がオンとなる。この区間１において、電圧源５０から、共通ラインＣＯＭ２、発光素子２１、および駆動ラインＳＥＧ１を電流が流れてシンクドライバ６０に引き込まれ、発光素子２１が点灯する。共通ラインＣＯＭ１、ＣＯＭ３がオフのため、発光素子１１、３１は点灯しない。
【００４４】
このとき、寄生容量Ｃに蓄えられていた電荷Ｑはシンクドライバ６０を通じて放電され、寄生容量Ｃに蓄えられた電荷Ｑは０となる。
【００４５】
図４は、図２における区間２の状態を示す概略回路図である。区間２において、共通ラインＣＯＭ２がオン、共通ラインＣＯＭ１、ＣＯＭ３がオフ、駆動ラインＳＥＧ１がオフとなる。駆動ラインＳＥＧ１がオフになることで、電流がシンクドライバ６０に引き込まれずに、発光素子２１には定格電流が流れない。すなわち、発光素子２１は定格電流に応じた明るさでは点灯しない。
【００４６】
ただし、定格電流よりも小さな微小電流（非駆動状態のシンクドライバ６０へ流れるリーク電流）が、共通ラインＣＯＭ２から発光素子２１を経由して寄生容量Ｃに充電される。このとき、寄生容量Ｃに充電される電荷Ｑは、電圧源５０の電圧をＶｃｏｍ、発光素子２１に上記微小電流が流れる時の順方向電圧をＶｆ２とすると、Ｑ＝Ｃ（Ｖｃｏｍ−Ｖｆ２）となる。
【００４７】
このとき、発光素子２１は、微小電流に応じた微小の明るさで点灯するが、前の区間１において定格電流で明るく点灯していたため、人は区間２における発光素子２１の微小点灯を感じない。
【００４８】
図５は、図２における区間３の状態を示す概略回路図である。区間３において、共通ラインＣＯＭ３がオン、共通ラインＣＯＭ１、ＣＯＭ２がオフ、駆動ラインＳＥＧ１がオフとなる。
【００４９】
本実施形態では、共通ラインＣＯＭ２に電圧Ｖｃｏｍが供給され、駆動ラインＳＥＧ１が非選択状態において発光素子２１に微小電流が流れる時の順方向電圧Ｖｆ２と、共通ラインＣＯＭ２の次にオンにされる共通ラインＣＯＭ３に電圧Ｖｃｏｍが供給され、駆動ラインＳＥＧ１が非選択状態において発光素子３１に微小電流が流れる時の順方向電圧Ｖｆ３との間に、Ｖｆ２＜Ｖｆ３の関係がある。
【００５０】
そのため、発光素子２１に上記微小電流が流れる時の寄生容量Ｃに蓄えられる電荷（Ｃ（Ｖｃｏｍ−Ｖｆ２））と、発光素子３１に上記微小電流が流れるときの寄生容量Ｃに蓄えられる電荷（Ｃ（Ｖｃｏｍ−Ｖｆ３））との関係は、Ｃ（Ｖｃｏｍ−Ｖｆ２）＞Ｃ（Ｖｃｏｍ−Ｖｆ３）となる。
【００５１】
したがって、共通ラインＣＯＭ３から発光素子３１経由で寄生容量Ｃに電荷が移動せず、Ｃ（Ｖｃｏｍ−Ｖｆ２）と、Ｃ（Ｖｃｏｍ−Ｖｆ３）との差分の電荷が寄生容量Ｃからシンクドライバ６０へ放電される。この結果、発光素子３１の疑似点灯を抑制できる。
【００５２】
共通ラインＣＯＭ３がオンの後、再び共通ラインＣＯＭ１がオンされる。ここで、Ｖｆ３＞Ｖｆ１であるため、発光素子１１の疑似点灯が生じ得る。
【００５３】
そこで、本実施形態では、区間４を設定している。図６は、図２における区間４の状態を示す概略回路図である。区間４において、発光素子１１、２１、３１が接続されたすべての共通ラインＣＯＭ１、ＣＯＭ２、ＣＯＭ３をオンにする。駆動ラインＳＥＧ１はオフである。
【００５４】
共通ラインＣＯＭ１、ＣＯＭ２、ＣＯＭ３のＮ回目のスキャンが終了して、次のＮ＋１回目のスキャンが開始する前に、電圧源５０から電圧Ｖｃｏｍが共通ラインＣＯＭ１、ＣＯＭ２、ＣＯＭ３に同時に、または極短時間の時間差で供給され、発光素子１１、２１、３１を経由して、駆動ラインＳＥＧ１上の寄生容量Ｃに電荷が充電される。このときの微小電流は３つの経路に分散して流れるため、発光素子１１、２１、３１のそれぞれを流れる電流は小さく、この区間４における発光素子１１、２１、３１の疑似点灯を抑制できる。
【００５５】
図７は、図２における区間５の状態を示す概略回路図である。区間５において、共通ラインＣＯＭ１がオン、共通ラインＣＯＭ２、ＣＯＭ３がオフ、駆動ラインＳＥＧ１がオフとなる。
【００５６】
区間５において、微小電流が共通ラインＣＯＭ１から発光素子１１を経由して寄生容量Ｃに充電されるが、区間２のような放電後の電荷０からの充電ではなく、前の区間４で充電された電荷量からの極微量の充電のため、発光素子１１を流れる電流は極微小であり、発光素子１１の疑似点灯を抑制できる。
【００５７】
以上説明した実施形態では、共通ラインＣＯＭ１、ＣＯＭ２、ＣＯＭ３の上記一巡の走査期間に、駆動ラインＳＥＧ１に接続された発光素子のうち発光素子２１を点灯させ、発光素子１１、３１は点灯させない例を説明したが、駆動ラインＳＥＧ１にｍ以上の共通ラインが接続されている場合、第ｍ共通ラインに接続された非点灯対象の第ｍ発光素子の微小電流が流れる時の順方向電圧Ｖｆｍと、第ｍ共通ラインより一つ前にオンされる第ｍ−１共通ラインに接続された点灯対象の第ｍ−１発光素子の微小電流が流れる時の順方向電圧Ｖｆｍ−１との間の関係を、Ｖｆｍ−１＜Ｖｆｍとすることで、非点灯対象の第ｍ発光素子の疑似点灯を抑制することができる。駆動ラインＳＥＧ２に接続された任意の隣接する２つの発光素子についても同じことが言える。
【００５８】
１つの駆動ラインに接続された発光素子の数は３つに限らず、４つ以上の発光素子が１つの駆動ラインに接続された場合にも、それぞれの発光素子に接続された共通ラインが１スキャンの間にオンになる順が後の発光素子ほど上記微小電流時の順方向電圧を大きくし、且つ図２に示す区間４を設けることで、疑似点灯を抑制することができる。
【００５９】
共通ラインおよび駆動ラインを備えた基板を準備し、その基板上に発光素子が実装される。実施形態によれば、複数の発光素子を基板上に実装する前に、複数の発光素子の微小電流時の順方向電圧を測定する。
【００６０】
この測定後、１スキャンの間にオンになる順が後の共通ラインに接続される発光素子ほど順方向電圧の測定値が大きくなるように、複数の発光素子を、駆動ラインが延びる方向である第２方向に沿って基板上に配列し、同じ駆動ラインに接続するとともに、別々の共通ラインに接続する。
【００６１】
以上、具体例を参照しつつ、本開示の実施形態について説明した。しかし、本開示は、これらの具体例に限定されるものではない。本開示の上述した実施形態を基にして、当業者が適宜設計変更して実施し得る全ての形態も、本開示の要旨を包含する限り、本開示の範囲に属する。その他、本開示の思想の範疇において、当業者であれば、各種の変更例及び修正例に想到し得るものであり、それら変更例及び修正例についても本開示の範囲に属するものと了解される。
【符号の説明】
【００６２】
１１,１２,２１,２２,３１,３２…発光素子、５０…電圧源、６０…シンクドライバ、ＣＯＭ１〜ＣＯＭ３…共通ライン、ＳＥＧ１〜ＳＥＧ２…駆動ライン
【図１】
2020177128.tif 000003
【図２】
2020177128.tif 000004
【図３】
2020177128.tif 000005
【図４】
2020177128.tif 000006
【図５】
2020177128.tif 000007
【図６】
2020177128.tif 000008
【図７】
2020177128.tif 000009
【図８】
2020177128.tif 000010
【図９】
2020177128.tif 000011
【図１０】
2020177128.tif 000012
【図１１】
2020177128.tif 000013
【図１２】
2020177128.tif 000014